(57)【要約】      （修正有）【課題】フロント飾りとキャビネットに特別な加工を行なわずに、テレビの外観品質を向上させるフロント飾りの貼り付け方法およびテレビの組み立て方法を提供する。【解決手段】キャビネットの裏面側からキャビネットに設けられた表示ランプ用の開孔部に位置決め用の光を照射し、前記開孔部を通過した前記光が、フロント飾りに設けられた表示ランプ用の透過部を通過するようにフロント飾りの位置決めを行ない、前記キャビネットの表面へ前記フロント飾りを貼り付ける。【選択図】図２
2014007567.tif 000002
【特許請求の範囲】
【請求項１】
キャビネットの表面にフロント飾りを貼り付けるフロント飾りの貼り付け方法であって、
前記キャビネットの表面に前記フロント飾りを対向した状態で、キャビネットの裏面側からキャビネットに設けられた表示ランプ部から開孔部に位置決め用の光を照射する工程と、
前記開孔部を通過した前記光が、フロント飾りに設けられた透過部を通過するようにフロント飾りの位置決めを行なう工程と、
前記フロント飾りの位置決めに基づいて、前記キャビネットの表面へ前記フロント飾りを貼り付ける工程とからなることを特徴とするフロント飾りの貼り付け方法。
【請求項２】
前記開孔部および前記透過部が、それぞれ複数であることを特徴とする請求項１記載のフロント飾りの貼り付け方法。
【請求項３】
請求項１記載のフロント飾りの貼り付け方法を用いて、前記フロント飾りを表示装置に使用される前記キャビネットに貼り付け、前記キャビネットに設けられた表示ランプ部の開孔部の裏面に表示装置の表示ランプを配置することを特徴とするテレビの組み立て方法。
【発明の詳細な説明】
【技術分野】
【０００１】
本発明は、テレビの組立工程において、テレビを装飾するために使用されるフロント飾りを、キャビネットの前面に貼り付けるフロント飾りの貼り付け方法に関するものである。
【背景技術】
【０００２】
従来からテレビに対して映像処理性能や低消費電力性能だけでなく、外観品質への要求も高いものがあった。特に近年はテレビの大型化が進み、外観デザインの良し悪しは、リビングやオフィスでも目立つようになっている。このため筐体の形状や色などについても、様々な工夫がなされている。
【０００３】
特許文献１には、前面にミラー状の装飾パネルを備えるテレビジョン受像機が記載されている。図４(ａ)は、特許文献１のテレビジョン受像機１００の全体図であり、１０１は映像表示画面、１０２は画面枠部、１０３はフロントパネル、１０３ａは赤外線受光窓部、１０３ｂは電源表示部、１０３ｃはスタンバイ表示部、１０４は外周枠、１０５はスピーカ前面装飾部、１０６は脚部である。図４(ｂ)は、フロントパネル１０３を構成するミラー部品を示した図であり、フロントパネル１０３に構成された赤外線受光窓部１０３ａの背面には、リモートコントロール信号を受光する受光器１０７が配置され、電源表示部１０３ｂとスタンバイ表示部１０３ｃの背面には、それぞれの表示を行う発光ダイオード１０８及び１０９が配置される。
【０００４】
フロントパネル１０３は、表面側から見て反射率が制限されたミラーとして構成され、スピーカ前面装飾部１０５と同様に、横長の細長い形状としてあり、映像表示画面１０１の横幅とほぼ同じ長さで配置される。フロントパネル１０３の下側と左右の端部には、画面枠部１０２の一部である外周枠１０４を形成し、フロントパネル１０３の端面が外部に露出しない構成である。
【先行技術文献】
【特許文献】
【０００５】
【特許文献１】特開２００８−７８９２５号公報
【発明の概要】
【発明が解決しようとする課題】
【０００６】
本発明は、上記課題を鑑み、テレビの外周枠が無い場合においても、フロント飾りをフロントキャビネットに精度よく貼り付ける方法を提供するものである。
【課題を解決するための手段】
【０００７】
本発明のフロント飾りの貼り付け方法は、キャビネットの表面にフロント飾りを貼り付けるフロント飾りの貼り付け方法であって、前記キャビネットの表面に前記フロント飾りを対向した状態で、キャビネットの裏面側からキャビネットに設けられた表示ランプ部から開孔部に位置決め用の光を照射する工程と、前記開孔部を通過した前記光が、フロント飾りに設けられた透過部を通過するようにフロント飾りの位置決めを行なう工程と、前記フロント飾りの位置決めに基づいて、前記キャビネットの表面へ前記フロント飾りを貼り付ける工程とからなることを特徴とする。また、本発明の上記フロント飾りの貼り付け方法は、前記開孔部および前記透過部が、それぞれ複数であることを特徴とする。
【０００８】
本発明のテレビの組み立て方法は、上記フロント飾りの貼り付け方法を用いて、前記フロント飾りを表示装置に使用される前記キャビネットに貼り付け、前記キャビネットに設けられた表示ランプ部の開孔部の裏面に表示装置の表示ランプを配置することを特徴とする。
【発明の効果】
【０００９】
本発明によれば、テレビにフロント飾りを取り付けるための外周枠がなくても、フロント飾りをフロントキャビネットに精度よく貼り付けることが可能になる。
【図面の簡単な説明】
【００１０】
【図１】本発明のフロント飾りの貼り付け方法およびテレビの組み立て方法による液晶テレビの外観図。
【図２】本発明のフロント飾りの貼り付け方法およびテレビの組み立て方法のフロー図。
【図３】本発明のフロント飾りの貼り付け方法およびテレビの組み立て方法を断面で示したものである。
【図４】従来の装飾パネルを備えるテレビジョン受像機の構成図。
【発明を実施するための形態】
【００１１】
本発明の実施形態を図１から図３を参照して説明する。図１(ａ)は、液晶テレビ１の全体の外観図である。図１(ａ)に示すように液晶テレビ１は、フロントキャビネット２、表示部３、フロント飾り４、スタンド５、表示ランプ部６を構成する。フロントキャビネット２は、成型加工された樹脂製の筐体部である。表示部３は、液晶パネルでありフロントキャビネット２に固定される。
【００１２】
図１(ｂ)は、液晶テレビ１の表示ランプ部６の周辺の外観図である。ＰＯＷＥＲは電源、ＳＬＥＥＰはお休みタイマーを表し、液晶テレビ１の電源がオンされるとＰＯＷＥＲと描かれた文字の下の円形の表示ランプ部６ａが発光し、お休みタイマーがセットされるとＳＬＥＥＰと描かれた文字の下の円形の表示ランプ部６ｂが発光する。
【００１３】
図１(ｃ)は、表示ランプ部６周辺の断面図である。表示ランプ部６は、フロントキャビネット２、フロント飾り４、ＬＥＤ(Light Emitting Diode)９からなる。フロントキャビネット２は、開孔部８を形成している。開孔部８は、フロントキャビネット２が金型に樹脂を流し込んで成型加工して作られる際に、型取りされ形成される。
【００１４】
フロント飾り４は、アクリル板１３と、該アクリル板上に塗布されるインク１０と、該アクリル板上に張り付けられた両面テープ１１との３部材から成る。アクリル板の一部をマスクし、スプレーなどでインクを塗布し、インク１０が塗布されない領域７を形成する。両面テープ１１は、フロントキャビネット２の開孔部８を塞がないように、予め開孔部８に相当する部分が切り抜かれている。フロント飾り４において、アクリル板１３の上下において、インク１０が塗布されない領域７と、両面テープ１１が配置されていない領域とにより、光を透過する透過部が形成される。
【００１５】
なお、アクリル板１３は、透明もしくは半透明で、光を通す透過性の材質であり、フロントキャビネット２は光を通さない材質である。
【００１６】
ＬＥＤ９は、基板１２によって発光のタイミングの制御や電源の供給が行われ、基板１２は図示していないバックライトシャーシにネジ止めして固定されている。表示ランプ部６には、用途に応じて、発光機能の異なったＬＥＤ９が利用される。例えば、電源の状態を示すＬＥＤ９ａは、電源がオンすると黄色に発光し、スタンバイ状態になると赤色に発光する。また。お休みタイマーの状態を示すＬＥＤ９ｂは、お休みタイマーがオンされると黄色に発光し、オフされると非点灯となる。
【００１７】
ＬＥＤ９から照射された光は、開孔部８を通過し、更にフロント飾り４の透過部を通過して液晶テレビ１の表面へ出力される。
【００１８】
インク１０が塗布されない領域７の直径ｄ１は、フロントキャビネット２の開孔部８の直径ｄ２よりも小さく設計される。これは、開孔部８が、フロントキャビネット２の成型加工時の型取りによって形成される際に、孔の周辺がギザギザした削られ痕になる場合があり、直径ｄ１を直径ｄ２と同じ大きさに設計すると、この削られ痕が前面から見えてしまい、デザイン性が損なわれるからである。また直径ｄ１が製造誤差により、直径ｄ２より大きくなってしまう場合があり、この場合フロント飾りのインクの色とは異なるキャビネットの色も前面から見えてしまい、更にデザイン性が損なわれてしまうことになる。なお、大きさの一例としては、インク１０が塗布されない領域７の直径ｄ１が３．５ミリメートル程度、フロントキャビネットの開孔部８の直径ｄ２が４ミリメートル程度である。また図１では、領域７はインクを塗布しないようにしているが、開孔部の周辺とは別の色のインクを塗布することもある。この場合、表示ランプの光の透過性を維持するために、半透明になるようなインクが塗布される。
【００１９】
図２、図３を用いて本実施形態のフロント飾りの貼り付け方法およびテレビの組み立て方法を説明する。図２は、フロント飾りの貼り付け方法およびテレビの組み立て方法をフロー図に示したものであり、図３は断面図に示したものである。なお、図２において、Ｓはステップを示す。
【００２０】
工程に入る前に、液晶テレビ１に使用するフロントキャビネット２とフロント飾り４を準備しておく。この段階でフロントキャビネット２には、開孔部８が形成されており、フロント飾り４には、インク１０が塗布され両面テープ１１が貼り付けられている。
【００２１】
図３(ａ)のように、フロントキャビネット２を組み立て治具１４に乗せる(Ｓ１)。次に図３(ｂ)のように、組み立て治具の光源１５の位置を、フロントキャビネットの開孔部８に合わせ(Ｓ２)、組み立て治具の光源１５から光を照射する(Ｓ３)。次に図３(ｃ)のように、フロント飾り４を組み立て治具１４に乗せたフロントキャビネット２に近づけ対向させた状態で(Ｓ４)、フロント飾り４の光透過部から、組み立て治具の光源１５からの光が透過するように、フロント飾り４の位置を調整する(Ｓ５)。図３(ｄ)のように、組み立て治具の光源１５からの光がフロント飾り４の光透過部から透過し、透過した光の大きさが最大になった位置を最適な位置として決める。次にフロント飾り４をフロントキャビネット２に貼り付けて固定する(Ｓ５)。この状態が図３(ｅ)であり、ここまでの処理によりフロント飾りのフロントキャビネットへの貼り付け作業が終了する。先に述べたように開孔部８は、フロント飾り４の位置決めを行なうために特別に加工されたものではなく、表示ランプ部を構成するために加工されたものであるので、製造工程を増加させることなく正確な位置決めを行なうことができる。
【００２２】
フロント飾りのフロントキャビネットへの貼り付けが終了した状態では、光透過部と開孔部との位置合わせが正確に終了していることから、ＬＥＤ９ａおよびＬＥＤ９ｂを開孔部８の裏側に配置することで液晶テレビ１の表示ランプ部６が構成される(Ｓ７)。この状態が図３(ｆ)である。この後、表示部３やリアキャビネット、スタンド５などが取り付けられ、液晶テレビ１の組み立て作業が終了する(終了)。
【００２３】
なお上記では、フロント飾り４をフロントキャビネット２の下部へ貼り付ける例を図示したが、上部や側辺部へ貼り付けても良い。また表示ランプの光を透過する部分を円形にして、２つの円を形成する例を示したが、形状も個数も任意に実施可能である。
【００２４】
以上説明したように、本実施形態によるフロント飾りの貼り付け方法およびテレビの組み立て方法は、テレビの表示ランプ部を構成するために開孔される開孔部を利用して、フロント飾りをフロントキャビネットに貼り付ける位置を決めるものである。本実施形態のよってフロント飾りをフロントキャビネットに正確に貼り付けることが可能になる効果がある。また表示ランプ部用の開孔部を利用するので、生産効率の向上による生産コストの低減を実現できる効果もある。
【産業上の利用可能性】
【００２５】
本発明は、フロント飾りの貼り付け方法およびテレビの組み立て方法に利用することが可能である。
【符号の説明】
【００２６】
１  液晶テレビ
２  フロントキャビネット
３  表示部
４  フロント飾り
５  スタンド
６  表示ランプ部
７  インクが塗布されない領域
８  開孔部
９  ＬＥＤ
１０  インク
１１  両面テープ
１２  基板
１３  アクリル板
１４  組み立て治具
１５  組み立て治具の光源
１００  テレビジョン受像機
１０１  映像表示画面
１０２  画面枠部
１０３  フロントパネル
１０３ａ  赤外線受光窓部
１０３ｂ  電源表示部
１０３ｃ  スタンバイ表示部
１０４  外周枠
１０５  スピーカ前面装飾部
１０６  脚部
１０７  受光器
１０８、１０９  発光ダイオード
【図１】
2014007567.tif 000003
【図２】
2014007567.tif 000004
【図３】
2014007567.tif 000005
【図４】
2014007567.tif 000006